(57)【要約】本発明は以後セルという少なくとも第１の無線カバレッジ領域における少なくとも第１の移動端末に対し無線空中線インタフェースを提供するセルラ無線通信ネットワークにおける無線基地局や無線ネットワーク制御局などのネットワークノードと、方法により達成される。そのネットワークノードは、少なくとも１つの移動端末からアップリンクパケットデータを受信する受信器を有する。その無線基地局はさらに、少なくとも第１のセルと別のセルとの間のハンドオーバ中に、少なくとも第１の移動端末からのアップリンクパケットデータ送信速度を制限するために設けられたる速度制限器を有する。
2009538036.tif 000002
【特許請求の範囲】
【請求項１】
少なくとも第１の無線カバレッジ領域（セル）における少なくとも第１の移動端末に対して無線空中線インタフェースを提供するセルラ無線通信ネットワークにおける無線基地局であって、
前記少なくとも１つの移動端末からアップリンクパケットデータを受信する受信器と、
前記少なくとも第１のセルと別のセルとの間のハンドオーバ中、前記少なくとも第１の移動端末からの前記アップリンクパケットデータの送信速度を制限するために設けられた速度制限器とを有することを特徴とする無線基地局。
【請求項２】
前記無線基地局は、少なくとも第２のセルが前記少なくとも第１の移動端末からの送信を受信するために受容可能な受信特性を有することを示唆する測定結果をネットワークノードから受信するように構成され、
前記無線基地局は、前記示唆があったとき、前記少なくとも第１の移動端末に、スケジュールされた速度を前記第１の移動端末に関する特定の最大ハンドオーバ送信速度に制限するようにさせるメッセージを送信するよう構成されることを特徴とする請求項１に記載の無線基地局。
【請求項３】
特定の移動端末に対する割当てのためのハードウェア資源を有し、前記セルに位置する移動端末からのパケットデータの受信をサポートするために備えられたハードウェアプールをさらに有し、
前記無線基地局は、前記セルに入ってくる新しい移動端末に対する呼のセットアップにおいて、前記最大ハンドオーバ送信速度をサポートするのに十分なハードウェア資源を確保するように構成されることを特徴とする請求項１又は２に記載の無線基地局。
【請求項４】
無線ネットワーク制御局へのデータ通信リンクをさらに有し、
前記無線基地局は、前記少なくとも第１の移動端末から受信するパケットデータを前記データ通信リンクにより前記無線ネットワーク制御局へ送信するように構成され、
前記無線ネットワーク制御局は、前記最大ハンドオーバ送信速度を設定するように構成されることを特徴とする請求項１乃至３のいずれか１項に記載の無線基地局。
【請求項５】
前記無線基地局は、前記無線基地局の開始時、呼設定時、ネットワーク負荷に応じて、または、一日の時刻に応じて、前記無線ネットワーク制御局から送信されるメッセージにおいて前記最大ハンドオーバ送信速度を受信するように構成されることを特徴とする請求項４に記載の無線基地局。
【請求項６】
前記無線基地局は、前記少なくとも第１のセルに入る移動端末に対する送信速度を無線基地局がサポートできないことを示唆するメッセージを前記無線ネットワーク制御局に送信するように構成されることを特徴とする請求項４又は５に記載の無線基地局。
【請求項７】
前記無線基地局は、条件グループの内のいずれかの条件が有効であれば前記送信速度をサポートすることができず、
前記条件グループは、
空中線インタフェースにおける負荷が過大であること、
前記無線ネットワーク制御局への前記データリンクの負荷が過大であること、
十分なハードウェアの割当が不可能であること、
前記ハードウェア資源プールの空きハードウェア資源が閾値以下であることと
を含むことを特徴とする請求項６に記載の無線基地局。
【請求項８】
前記少なくとも第１の移動端末により利用される実送信速度を推定するために備えられた送信速度推定器をさらに有し、
前記無線基地局は、前記少なくとも第１の移動端末にメッセージを送信し、前記スケジュールされた速度を最大送信速度に制限するように構成され、
前記最大送信速度は前記推定送信速度以下であることを特徴とする請求項１乃至７のいずれか１項に記載の無線基地局。
【請求項９】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項１乃至７のいずれか１項に記載の無線基地局。
【請求項１０】
複数の移動端末に無線空中線インタフェースを提供する第１の無線基地局と少なくとも第２の無線基地局とに接続されたセルラ無線通信ネットワークにおける無線ネットワーク制御局であって、
前記複数の無線端末は、前記第１の無線基地局に関連する第１のセルと前記第２の無線基地局に関連する第２のセルとに位置しており、
前記無線ネットワーク制御局は、前記複数の無線基地局を経て前記複数のセルのいずれかに位置する少なくとも１つの移動端末からアップリンクパケットデータを受信するように構成されており、
前記無線ネットワーク制御局は、前記第１のセルを去る移動端末に対する特定の最大ハンドオーバ送信速度を示すメッセージを前記第２の無線基地局に受信するように構成されていることを特徴する無線ネットワーク制御局。
【請求項１１】
前記無線ネットワーク制御局は、前記移動端末からの前記アップリンクパケットデータの送信速度がサポートできないことを示すメッセージを前記第１の無線基地局から受信するように構成されていることを特徴とする請求項１０に記載の無線ネットワーク制御局。
【請求項１２】
前記無線ネットワーク制御局は、前記第１の無線基地局からの前記メッセージの受信に依存して、前記メッセージを前記第２の無線基地局に送信するように構成されていることを特徴とする請求項１０又は１１に記載の無線ネットワーク制御局。
【請求項１３】
少なくとも第１の無線カバレッジ領域（セル）における少なくとも第１の移動端末に対して無線空中線インタフェースを提供するセルラ無線通信ネットワークにおける無線基地局であって、
前記少なくとも１つの移動端末からアップリンクパケットデータを受信する受信器と、
無線ネットワーク制御局へのデータ通信リンクと、
前記セルに入る少なくとも前記第１の移動端末に対する送信速度をサポートすることができるかどうかを検出するために設けられた送信速度サポート検出器とを有し、
前記送信速度をサポートすることができなければ、前記無線基地局は前記無線ネットワーク制御局にメッセージを送信するように構成されていることを特徴とする無線基地局。
【請求項１４】
前記無線基地局は、条件グループの内のいずれかの条件が有効であれば前記送信速度をサポートすることができず、
前記条件グループは、
前記空中線インタフェースにおける負荷が過大であること、
前記無線ネットワーク制御局への前記データリンクの負荷が過大であること、
十分なハードウェアの割当が不可能であること、
前記ハードウェア資源プールの空きハードウェア資源が閾値以下であることと
を含むことを特徴とする請求項１３に記載の無線基地局。
【請求項１５】
少なくとも第１の無線カバレッジ領域（セル）における少なくとも第１の移動端末と無線基地局との間の無線空中線インタフェースを有するセルラ無線通信ネットワークに備えられた、前記少なくとも１つの移動端末からアップリンクパケットデータを受信する受信器を有する前記無線基地局における方法であって、
前記少なくとも第１のセルと別のセルとの間のハンドオーバ中、前記少なくとも第１の移動端末からの前記アップリンクパケットデータの送信速度を制限する工程を有することを特徴とする方法。
【請求項１６】
少なくとも第２のセルが前記少なくとも第１の移動端末からの送信を受信するために受容可能な受信特性を有することを示唆する測定結果をネットワークノードから受信する工程と、
前記示唆があったとき、前記少なくとも第１の移動端末に、特定の最大ハンドオーバ送信速度にスケジュールされた速度を制限するようにさせるメッセージを送信する工程とをさらに有することを特徴とする請求項１５に記載の方法。
【請求項１７】
特定の移動端末に対する割当てのためのハードウェア資源を有し、前記セルに位置する移動端末からのパケットデータの受信をサポートするために備えられたハードウェアプールをさらに有し、
前記セルに入ってくる新しい移動端末に対する呼のセットアップにおいて、前記最大ハンドオーバ送信速度をサポートするのに十分なハードウェア資源を確保する工程をさらに有することを特徴とする請求項１５又は１６に記載の方法。
【請求項１８】
無線ネットワーク制御局へのデータ通信リンクをさらに有し、
前記少なくとも第１の移動端末から受信するパケットデータを前記データ通信リンクにより前記無線ネットワーク制御局へ送信する工程と、
前記無線ネットワーク制御局からのメッセージにおいて前記最大ハンドオーバ送信速度を受信する工程とをさらに有することを特徴とする請求項１５乃至１７のいずれか１項に記載の方法。
【請求項１９】
前記無線基地局が前記少なくとも第１のセルに入る移動端末に対する送信速度をサポートできないかどうかを検出する工程と、
前記無線基地局は、前記送信速度をサポートできないならメッセージを前記無線ネットワーク制御局に送信する工程とをさらに有することを特徴とする請求項１５乃至１８のいずれか１項に記載の方法。
【請求項２０】
前記無線基地局は、条件グループの内のいずれかの条件が有効であれば前記送信速度をサポートすることができず、
前記条件グループは、
空中線インタフェースにおける負荷が過大であること、
前記無線ネットワーク制御局への前記データリンクの負荷が過大であること、
十分なハードウェアの割当が不可能であること、
前記ハードウェア資源プールの空きハードウェア資源が閾値以下であること
を含むことを特徴とする請求項１９に記載の方法。
【請求項２１】
前記少なくとも第１の移動端末により利用される実送信速度を推定する工程と、
前記少なくとも第１の移動端末に、用いられる、前記推定送信速度以下である最大送信速度を示すメッセージを送信する工程とをさらに有することを特徴とする請求項１５乃至２０のいずれか１項に記載の方法。
【請求項２２】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項１５乃至２１のいずれか１項に記載の方法。
【請求項２３】
複数の移動端末に無線空中線インタフェースを提供する第１の無線基地局と少なくとも第２の無線基地局とに接続されたセルラ無線通信ネットワークにおける無線ネットワーク制御局であって、
前記複数の無線端末は、前記第１の無線基地局に関連する第１のセルと前記第２の無線基地局に関連する第２のセルとに位置しており、
前記無線ネットワーク制御局は、前記複数の無線基地局を経て前記複数のセルのいずれかに位置する少なくとも１つの移動端末からアップリンクパケットデータを受信するように構成されており、
前記無線ネットワーク制御局は、前記第１のセルに入る移動端末に対する特定の送信速度をサポートすることができないことを示すメッセージを受信するように構成されていることを特徴する無線ネットワーク制御局。
【請求項２４】
前記第１の無線基地局からのメッセージは、当該無線基地局においてサポートされる最大送信速度の示唆を含むことを特徴とする請求項２３に記載の無線ネットワーク制御局。
【請求項２５】
前記無線ネットワーク制御局は、前記移動端末が前記第２のセルを介して前記第２の無線基地局に接続されていることを検出するように構成され、
前記無線ネットワーク制御局は、ハンドオーバ中に前記移動端末により用いられる最大ハンドオーバ送信速度を示すメッセージを前記第２の無線基地局に送信するように構成されていることを特徴とする請求項２３又は２４に記載の無線ネットワーク制御局。
【請求項２６】
前記最大ハンドオーバ送信速度は前記第１の無線基地局によりサポートされる前記最大送信速度以下であることを特徴とする請求項２４又は２５に記載の無線ネットワーク制御局。
【請求項２７】
前記複数の無線基地局は、前記セルに入ってくる各移動端末に対して前記最大ハンドオーバ送信速度をサポートするための資源を確保するように構成されていることを特徴とする請求項２３又は２６に記載の無線ネットワーク制御局。
【請求項２８】
前記資源は、空中インタフェース容量、前記複数の無線基地局と前記無線ネットワーク制御局との間のリンク容量、前記無線基地局のハードウェア資源を含む資源グループから選択されることを特徴とする請求項２７に記載の無線ネットワーク制御局。
【請求項２９】
前記特定の送信速度は、
前記セルに入ってくるとき前記移動端末により用いられる送信速度と、
前記移動端末に対して許可された最大送信速度と、
前記最大ハンドオーバ送信速度と、
ゼロｋｂｐｓとの内のいずれかであることを特徴とする請求項２３乃至２８のいずれか１項に記載の無線ネットワーク制御局。
【請求項３０】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項２３乃至２９のいずれか１項に記載の無線ネットワーク制御局。
【請求項３１】
複数の移動端末に無線空中線インタフェースを提供する第１の無線基地局と少なくとも第２の無線基地局とに接続されたセルラ無線通信ネットワークにおける無線ネットワーク制御局における方法であって、
前記複数の無線端末は、前記第１の無線基地局に関連する第１のセルと前記第２の無線基地局に関連する第２のセルとに位置しており、
前記無線ネットワーク制御局は、前記複数の無線基地局を経て前記複数のセルのいずれかに位置する少なくとも１つの移動端末からアップリンクパケットデータを受信するように構成されており、
前記第１のセルに入る移動端末に対する特定の送信速度をサポートすることができないことを示すメッセージを前記第１の無線基地局から受信する工程を有することを特徴する方法。
【請求項３２】
前記第１の無線基地局からのメッセージは、サポート可能な最大送信速度の示唆を含むことを特徴とする請求項３１に記載の方法。
【請求項３３】
前記移動端末が前記第２のセルを介して前記第２の無線基地局に接続されていることを検出する工程と、
ハンドオーバ中に前記移動端末により用いられる最大ハンドオーバ送信速度を示すメッセージを前記第２の無線基地局に送信する工程とをさらに有することを特徴とする請求項３１又は３２に記載の方法。
【請求項３４】
前記最大ハンドオーバ送信速度は前記第１の無線基地局によりサポートされる前記最大送信速度以下であることを特徴とする請求項３１又は３４に記載の方法。
【請求項３５】
前記セルに入ってくる各移動端末に対して前記最大ハンドオーバ送信速度をサポートするために前記複数の無線基地局おける資源を確保する工程をさらに有することを特徴とする請求項３１乃至３４のいずれか１項に記載の方法。
【請求項３６】
前記資源は、空中インタフェース容量、前記複数の無線基地局と前記無線ネットワーク制御局との間のリンク容量、前記無線基地局のハードウェア資源を含む資源グループから選択されることを特徴とする請求項３５に記載の方法。
【請求項３７】
前記特定の送信速度は、
前記セルに入ってくるとき前記移動端末により用いられる送信速度と、
前記移動端末に対して許可された最大送信速度と、
前記最大ハンドオーバ送信速度と、
ゼロｋｂｐｓとの内のいずれかであることを特徴とする請求項３１乃至３６のいずれか１項に記載の方法。
【請求項３８】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項３１乃至３７のいずれか１項に記載の方法。
【請求項３９】
広帯域符号分割多元接続（ＷＣＤＭＡ）の無線通信ネットワークにおける無線基地局（ＲＢＳ）であって、
前記ＲＢＳに関連するセルに位置するユーザ機器（ＵＥ）から、第１の送信速度で非サービングセルとして高速アップリンクパケットアクセス（ＨＳＵＰＡ）送信でのパケット送信を受信する手段と、
Ｉｕｂリンク容量の不足か、或は、ハードウェア容量の不足のために、前記ＲＢＳが前記ＵＥからの前記第１の送信速度をサポートすることができないことを検出する手段と、
前記ＵＥに対して、前記ＵＥが前記検出に依存して送信速度を低下させるべきであることを示唆する相対許可（ＲＧ）を送信する手段とを有することを特徴とする無線基地局。
【発明の詳細な説明】
【技術分野】
【０００１】
本発明は無線通信分野に関する。特に、本発明は、通信システムにおけるユーザ端末のための効率的ハンドオーバに関する。
【背景技術】
【０００２】
本発明は、特に、第３世代広帯域符号分割多元接続（ＷＣＤＭＡ）タイプのネットワークにおいて適用される。しかしながら、その技術は、ＧＳＭ、ＣＤＭＡなどのような他のタイプの無線ネットワークとの接続にも適用可能であろう。
【０００３】
無線通信ネットワークでは、基地局或はＷＣＤＭＡではノードＢと名前が付けられている基地局は、移動ユーザ端末即ちユーザ機器に対する無線即ち空中線インタフェースを提供する。この無線インタフェースをＷＣＤＭＡではＵｕインタフェースと呼ぶ。ノードＢは無線ネットワーク制御局（ＲＮＣ）に接続される。無線ネットワーク制御局（ＲＮＣ）は汎用移動電話ネットワーク（ＵＭＴＳ）の無線アクセスネットワーク（ＵＴＲＡＮ）における無線リソース制御を担当するネットワーク要素である。ノードＢとＲＮＣはｌｕｂインタフェースにより接続される。次いで、ＲＮＣはコアネットワーク（ＣＮ）に接続される。コアネットワーク（ＣＮ）はＭＳＣ／ＶＬＲ、ＳＧＳＮなどのような幾つかの異なるネットワークノードを含むことができる。
【０００４】
第３世代無線アクセスネットワークでは、送信速度の高速化が主目的であり、送信速度高速化を達成する新しいプロトコルや技術が開発されている。高速ダウンリンクパケットアクセス（ＨＳＤＰＡ）プロトコルがＷＣＤＭＡリリース５において標準化され、これは最近になりＷＣＤＭＡリリース６において高速アップリンクパケットアクセス（ＨＳＵＰＡ）プロトコルが補足された。
【０００５】
ＨＳＵＰＡでは、種々のユーザ端末に０ｋｂｐｓから５．７６Ｍｂｐｓの範囲の異なる送信速度を割当てるか、即ち、許可する。即ち、あるユーザは他のユーザより速い許可速度を有するかもしれない。この送信をサポートするために、ノードＢにおけるハードウェアをハードウェアプールにおいて割当て、ハードウェア資源を特定のユーザに割当て、必要な送信速度をサポートする。送信速度が速ければ速いほど、必要なハードウェア資源並びにＵｕインタフェースに生じる空中線干渉およびＩｕｂリンクの負荷がそれだけ増大する。
【０００６】
ＨＳＵＰＡ送信許可を有するユーザである高度化専用チャネル（Ｅ−ＤＣＨ）ユーザがハンドオーバ中の場合、２つ以上のＲＢＳがこのユーザ機器からアップリンクデータ送信を受信する。少なくとも２つのＲＢＳノードから受信するデータをＲＮＣに送信し、ＲＮＣでこれらのデータを結合する。ＲＢＳノードの内の１つであり最良の無線特性を有するノードがサービングノードであり、その他のＲＢＳノードは非サービングノードである。
【０００７】
絶対許可（ＡＧ：Absolute Grant）または相対許可（ＲＧ：Relative Grant）を送信することにより、サービングノードはユーザ機器に対するスケジュール化送信速度を調整する。即ち、サービングＲＢＳはスケジュール化速度を増すことも減じることもでき、一方非サービングノードは相対許可を送信し、送信速度を減じることができるだけである。２つのＲＢＳ間に通信はなく、従ってサービングノードは非サービングノードの詳細な能力事情に関する情報を持ち合わせない。
【０００８】
サービングノードはユーザ機器の送信速度の調整を制御し、利用可能なハードウェア並びに他の資源に関する知見を有し、従って、スケジュールされた許可を利用可能な資源に適合させることができる。
【発明の開示】
【発明が解決しようとする課題】
【０００９】
しかしながら、このことは、非サービングノードには当てはまらず、非サービングノードは特定のユーザ機器が特定送信速度によりデータを送信するのを単に直面するだけである。このことは、もちろん、非サービングＲＢＳにおける問題の原因となるかもしれないが、それは、例えば、非サービングＲＢＳがハードウェアなどの十分な資源を割当て、送信速度をサポートすることができないからである。
【００１０】
さらにハードウェアが利用可能であるとしても、ハードウェアは割り当てにかなりの時間を要し、効率およびサービス品質が低下する。資源不足により非サービングノードがデータをデコードできない限り、ダイバーシティの利点も失われる。
【００１１】
非サービングノードが速度に対処できなければ、非サービングノードはＲＧを送信し、ユーザ機器にその送信速度の低減を指令することができる。とはいえサービングセルは、非サービングセルがユーザ機器の送信速度を低減したことを知らないので、サービングセルはより速い送信速度にハードウェアを割当てているであろうし、これは勿論資源の無駄になる、それはユーザ機器が割当てハードウェアの全てを利用していないからである。
【００１２】
無線通信ネットワークにおけるユーザ機器の効率的ハンドオーバを行うような装置および方法を提供することが本発明を一側面からみた目的である。
【００１３】
本発明を一側面から見た１つの目的は、無線通信システムのハンドオーバの間に効率的な資源の利用を行うことである。
【００１４】
本発明一側面から見た１つの目的は、無線通信ネットワークにおけるユーザ機器に高いエンドユーザ性能を提供し、遅延を減じ、全体としてのスループットを増すことである。
【課題を解決するための手段】
【００１５】
本発明の一側面に従えば、とりわけこれらの目的は、以後セルという少なくとも第１の無線カバレッジ領域における少なくとも第１の移動端末に対し無線空中線インタフェースを提供するセルラ無線通信ネットワークにおける無線基地局により達成される。この無線基地局は、少なくとも１つの移動端末からアップリンクパケットデータを受信する受信器を有する。その無線基地局は、さらに少なくとも第１のセルと別のセルとの間のハンドオーバの間に、少なくとも第１の移動端末からのアップリンクパケットデータ送信速度を制限するために設けられた速度制限器を有する。
【００１６】
本発明の別の側面に従えば、とりわけこれらの目的は、無線基地局と以後セルという少なくとも第１の無線カバレッジ領域における少なくとも第１の移動端末との間の無線空中線インタフェースを含む、セルラ無線通信ネットワークに設けられた、少なくとも１つの移動端末からアップリンクパケットデータを受信する受信器を含む無線基地局における方法により達成される。その方法は、少なくとも第１のセルと別のセルとの間のハンドオーバの間に、少なくとも第１の移動端末からのアップリンクパケットデータの送信速度を制限するステップを有する。
【００１７】
移動端末という用語は、この説明では、ユーザ機器という用語と同じ意味で使用し、空中線インタフェースを経て通信する能力を有する装置の一部を定義する。
【００１８】
ハンドオーバの間に移動端末の送信速度を制限することにより、平均乃至大きな負荷のあるセルに入ってくる、速い送信速度を有した移動端末への悪い影響を最少にすることが確実にできる。
【００１９】
具体的には、ハンドオーバの間における送信速度、リンク負荷、およびハードウェアの使用を、その送信速度に反応し影響を与えるのに限定された可能性しかないノードにおいて、一時的に制限することにより、ハンドオーバを秩序正しい方法において実行することができる。その場合、セルに既に存在するユーザへの不必要な悪い影響を与えることなくハンドオーバを実行することができる一方、同時に、セルに入ってくる移動端末に対する送信を継続することができる。
【００２０】
以下でより厳密に開示する一実施例によれば、送信速度の許容範囲を削減した新しい許可をユーザに送信することにより送信速度を制限することができる。
【００２１】
本発明の別の側面に従えば、とりわけこれらの目的は、複数の移動端末に無線空中線インタフェースを提供する第１の無線基地局と少なくとも第２の無線基地局に接続するセルラ無線通信ネットワークにおける無線ネットワーク制御局により達成される。これら無線端末は、第１の無線基地局に関連する第１のセルおよび第２の無線基地局に関連する第２のセルに位置している。その無線ネットワーク制御局は複数の無線基地局を経ていずれかのセルに位置する少なくとも１つの移動端末からアップリンクパケットデータを受信するように構成される。その無線ネットワーク制御局は、第１のセルに入ってくる移動端末に対する特定の送信速度をサポートすることができないことを示すメッセージを第１の無線基地局から受信するように構成される。
【００２２】
本発明の別の側面に従えば、とりわけこれらの目的は、セルラ無線通信ネットワークに設ける無線ネットワーク制御局における方法により達成される。その無線ネットワーク制御局は、複数の移動端末に無線空中線インタフェースを提供する第１の無線基地局と少なくとも第２の無線基地局に接続されており、これら無線端末は、第１の無線基地局に関連する第１のセルと第２の無線基地局に関連する第２のセルに位置している。その無線ネットワーク制御局は、これら無線基地局を経ていずれかのセルに位置する少なくとも１つの移動端末からアップリンクパケットデータを受信するように構成される。その方法は、第１のセルに入ってくる移動端末に対する特定の送信速度をサポートすることができないことを示すメッセージを第１の無線基地局から受信する工程を有する。
【００２３】
本発明の別の側面に従えば、とりわけこれらの目的は、以後セルという少なくとも第１の無線カバレッジ領域における少なくとも第１の移動端末に対し無線空中線インタフェースを提供するセルラ無線通信ネットワークにおける無線基地局により達成される。その無線基地局は少なくとも１つの移動端末からアップリンクパケットデータを受信する受信器と、無線ネットワーク制御局へのデータ通信リンクとを有する。その無線基地局はさらに、そのセルに入ってくる少なくとも第１の移動端末に対する送信速度をサポートすることができるかどうかを検出するために設けられた送信速度サポート検出器を有し、その送信速度をサポートすることができなければ、無線基地局は無線ネットワーク制御局にメッセージを送信するように構成される。
【００２４】
無線基地局（ＲＢＳ）が特定の送信速度をサポートすることができないことを示すＲＢＳから送信されるメッセージを無線ネットワーク制御局（ＲＮＣ）において受信することにより、ＲＮＣはネットワークの現状を知るようになり、幾つかの異なるタスクの内の１つまたは幾つかを実行することができる。最も簡単なものはレポートをただ記録し、このようなイベントを最少にするためにさらに分析し、後に可能なネットワーク構成の適合を行うことである。
【００２５】
本発明の別の側面に従えば、とりわけこれらの目的は、以後ＷＣＤＭＡという広帯域符号分割多元接続の無線通信ネットワークにおける、以後ＲＢＳという無線基地局により達成される。その無線基地局は、ＲＢＳに関連するセルに位置する以後ＵＥというユーザ機器から、以後ＨＳＵＰＡと称する高速アップリンクパケットアクセスの送信を受信する手段を有する。ここで、ＲＢＳは、第１の送信速度を有する非サービングセルとしてＵＥからパケット送信を受信する。ＲＢＳは、Ｉｕｂリンク容量の不足またはハードウェア能力の不足のいずれかによりＵＥからの第１の送信速度をサポートできないことを検出する手段と、この検出に応じてＵＥがその送信速度を減じるべきであることを示す、以後ＲＧという相対許可をＵＥに送信する手段とを有する。
【００２６】
ＨＳＵＰＡを規定する標準であるＷＣＤＭＡリリース６によれば、非サービングセルは、セルにおける空中線インタフェースがセルに入ってくる新規ユーザが使用している送信速度に対処できなければ、ＲＧを送信することのみが許されている。即ち、それは、干渉が大き過ぎる場合である。Ｉｕｂリンク負荷が大きすぎるか、または、非サービングセルが利用可能なハードウェア資源を欠けば、非サービングセルもＲＧを送信してユーザの送信速度を低下させるならば、驚くべき多くの利点を得ることができることを本願の発明者は見い出した。
【００２７】
これらの状況下においてもＲＧを送信すれば、非サービングセルはより低送信速度をサポートすることができ、ユーザはたとえより低速度によってでもデータ送信を継続することができる。
【００２８】
本発明の１つの側面の一変形例によれば、無線基地局は、少なくとも第２のセルが受容可能な受信特性を有することを示唆する測定結果をネットワークノードから受信するように構成され、その無線基地局はその示唆があるとき、第１の移動端末はスケジュールされた速度を特定の最大ハンドオーバ送信速度に制限するようにするメッセージを少なくとも第１の移動端末に送信するよう構成される。
【００２９】
別のセルが受容可能な受信特性を有することの通知をＲＢＳがＲＮＣなどのネットワークノードから受信する、即ち、ＲＢＳが少なくとも１つの非サービングセルも移動端末から送信を受信していることを知らされると、そのサービングＲＢＳは、ＲＢＳにおいて定義される最大ハンドオーバ送信速度以下の新しい許可をその移動端末に送信する。即ち、ＵＥは特定の最大ハンドオーバ送信速度を知らないが、ＲＢＳにより送信される新しい許可により制限される。
【００３０】
測定結果は、移動端末が規定閾値より良好な信号対雑音比を持つ別のセルから信号を受信することを単に指示することであるかもしれない。即ち、このような測定結果は必ずしもＲＢＳに送信しなくともよい。その場合、受容可能な受信特性は上記したより良好な信号対雑音比である。
【００３１】
最大ハンドオーバ送信速度は、ＲＢＳがハンドオーバにおいてユーザに与えることのできる最大速度である。一般的評価に従う１つまたは別の理由によりＲＢＳが、最大ハンドオーバ送信速度を速すぎると見れば、ＲＢＳがより低い送信速度を与えることができるのはもちろんである。
【００３２】
最大ハンドオーバ送信速度を超える速度によりユーザが現在送信していなければ、ＲＢＳはフラグを設定し、移動端末がハンドオーバ中であり、移動端末が後に速度増大要求を送信するならば、最大ハンドオーバ送信速度より速い許可を与えるべきでないことを示すようにしても良い。
【００３３】
非サービングセルが容易にサポートすることができるように、最大ハンドオーバ送信速度は適宜設定される。
【００３４】
本発明の１つの側面の一変形例によれば、無線基地局は、特定の移動端末に割当てるハードウェア資源を含み、セルに位置する移動端末からのパケットデータの受信をサポートするために備えられたハードウェアプールを有し、その無線基地局は、セルに入ってくる新しい移動端末の呼設定時に最大ハンドオーバ送信速度をサポートするのに十分なハードウェア資源を確保するように構成される。
【００３５】
ＲＢＳが  呼設定時、無線リンクセットアップ時、または、端末の送信検出時に、セルに入ってくる新しい移動端末に対するハードウェアを確保するならば、ＲＢＳが少なくとも最小限度の速度をサポートできることが保証される。さらに、移動端末が後の段階においてアップリンクパケットデータの送信を開始する場合、ある程度のハードウェアは既に割当てられており、割当てていなければ伴うハードウェア割当てに関連する遅延を伴うことなく送信を開始することができる。
【００３６】
本発明の１つの側面の一変形例によれば、無線基地局は、無線ネットワーク制御局へのデータ通信リンクを含み、その無線基地局は少なくとも第１の移動端末から受信するパケットデータをデータ通信リンクを経て無線ネットワーク制御局へ送信するよう構成され、無線ネットワーク制御局はその最大ハンドオーバ送信速度を設定するように構成される。
【００３７】
本発明の１つの側面の一変形例によれば、無線基地局は、ネットワーク負荷やその日の時間に応じて無線基地局の開始時、呼設定時に無線ネットワーク制御局から送信されるメッセージで最大ハンドオーバ送信速度を受信するように構成される。
【００３８】
ＲＮＣは数多くのＲＢＳを制御し、それ故、ネットワーク特性をより良く理解しているので、ＲＮＣが最大ハンドオーバ送信速度を設定するようにするには利点がある。あるいは、その最大ハンドオーバ送信速度を運用管理者が設定することができる。
【００３９】
ＲＮＣが最大ハンドオーバ送信速度を決定するようにすることにより、最大ハンドオーバ送信速度のあるべき速度を決定する場合に、ＲＮＣは、例えば、ネットワークの現状を考慮することができる。例えば、ネットワークのすぐ近傍に僅かのユーザしかいない状況では、最大ハンドオーバ送信速度をより速い値に設定することができる。さらに多くのユーザが現れるか、またはピーク時間帯では、ＲＮＣはこの値を小さくすることを決定することができる。
【００４０】
ネットワークのすぐ近傍とは例えばＲＮＣが制御する領域、ＲＮＣに接続するＲＢＳノードの別の適切なグループまたはセルの特定グループであっても良い。
【００４１】
本発明の１つの側面の一変形例によれば、ＲＮＣは、例えば、呼設定時に最大ハンドオーバ送信速度をユーザ毎に設定する。あるいは、例えば、開始時、特定のトラフィック状況が発生する場合、またはその日の時間に応じて、ＲＢＳ毎に最大ハンドオーバ送信速度を設定することができる。
【００４２】
本発明の１つの側面の一変形例によれば、無線基地局はセルに入ってくる移動端末に対する送信速度を無線基地局がサポートすることができないことを示すメッセージを無線ネットワーク制御局に送信するように構成される。
【００４３】
本発明の１つの側面の一変形例によれば、条件グループの内のいずれかの条件が有効であれば、無線基地局は送信速度をサポートすることができない。その条件グループは、空中線インタフェースにおける負荷が過大であることと、無線ネットワーク制御局へのデータリンクの負荷が過大であることと、十分なハードウェアの割当が不可能であることと、ハードウェア資源プールの空きハードウェア資源が閾値以下であることとを含む。
【００４４】
ＲＢＳが特定の送信速度をサポートすることができないことをＲＮＣにリポートすることにより、ＲＮＣはその状況に気づき、例えば、移動端末に現在サービスを提供しているＲＢＳの最大ハンドオーバ送信速度を適合させることができる。
【００４５】
本発明の１つの側面の一変形例によれば、送信速度推定器は、少なくとも第１の移動端末により利用される実送信速度を推定するように構成され、無線基地局は使用される最大送信速度を示すメッセージを少なくとも第１の移動端末に送信するように構成される。ここで、最大送信速度は推定送信速度以下である。
【００４６】
Ｅ−ＤＰＣＣＨにおいて受信するＥ−ＴＦＣＩを監視することにより、ＲＢＳは端末の速度限界を推定することができる。使用する最大伝送フォーマットを監視することにより、ＲＢＳはＵＥの制限速度限界を推定することができる。例えば、ＵＥがＴＴＩにおいて０、１２０、３８０、３８０、０、０、１４０ｋｂｐｓで送信していれば、ＵＥを３８０ｋｂｐｓに制限されていることを推定することができる。ＵＥが送信するデータを有していれば、ＵＥはＴＴＩにおいて許されるピーク速度を使用するであろう。ＵＥにデータがないか、または電力が制限される場合にのみ、ＵＥはより低い速度を使用するであろう。あるいは、高速応答を犠牲にしてより多くのＴＴＩに対する速度推定を実施することにより、より耐性のある推定を実施することができる。
【００４７】
サービングＲＢＳが特定送信速度に対する絶対許可を発行しており、この速度を非サービングＲＢＳがサポートできなければ、非サービングＲＢＳは相対許可を送信し、送信速度を小さくするであろう。送信速度推定器を備えることにより、サービングＲＢＳは移動端末により使用される速度を推定し、その移動端末が全ての許可速度を使用していないことを検出する。これには多くの理由があり、その１つは上述したとおりである。
【００４８】
しかしながら、理由がどうであれ、サービングＲＢＳは推定使用速度に応じて今や新しい許可を送信することができる。例えば、ある理由により移動端末が以前に送信した増加許可を「聴取」していないと仮定して、サービングＲＢＳは以前の許可を再送することができる。移動端末がなおその速度を速めないか、またはグラントの送信直後にその送信速度をより低い速度に適合させれば、サービングＲＢＳは新たにより低い許可を送信するかもしれない。これは、その端末がハンドオーバ中であるかもしれず、それ故、別の非サービングセルにより速度制限されており、占有する資源、例えば、未使用のハードウェアの開放を行っているとＲＢＳが結論するかもしれないからである。
【００４９】
本発明の１つの側面の一変形例によれば、無線ネットワーク制御局は移動端末が第２のセルを通じて第２の無線基地局に接続していることを検出するように構成され、その無線ネットワーク制御局はハンドオーバ中に移動端末により使用される最大ハンドオーバ送信速度を示すメッセージを第２の無線基地局に送信するように構成される。
【００５０】
非サービングＲＢＳである第１のＲＢＳにより送信速度をサポートすることができないことを示すメッセージをＲＮＣが受信する場合、本発明のこの変形例によれば、ＲＮＣはサービングＲＢＳである第２のＲＢＳにメッセージを送信し、最大速度限界を提供することにより、第２のＲＢＳに命令してハンドオーバ中における移動端末の送信速度を制限することができる。
【００５１】
従って、第１と第２のＲＢＳが共に対処することができるレベルに送信速度を減じるので、ハンドオーバを円滑な方法で達成することができる。
【００５２】
本発明の１つの側面の一変形例によれば、最大ハンドオーバ送信速度は、第１の無線基地局がサポートすることができる最大送信速度以下である。
【００５３】
本発明の１つの側面の一変形例によれば、無線基地局は、セルに入ってくる各移動端末に対する最大ハンドオーバ送信速度をサポートする資源を確保するように構成される。
【００５４】
本発明の１つの側面の一変形例によれば、空中インタフェース容量、無線基地局と無線ネットワーク制御局との間のリンク容量、無線基地局のハードウェア資源を含むリソースグループから資源は選択される。
【００５５】
最大ハンドオーバ送信速度をサポートするのに十分なハードウェアをＲＢＳに確保することにより、ＲＢＳはこの速度を少なくとも常にサポートすることができるであろう。
【００５６】
本発明の１つの側面の一変形例によれば、特定の送信速度とは、そのセルに入ってくる時の移動端末が使用する送信速度と、移動端末に許可される最大送信速度と、最大ハンドオーバ送信速度と、ゼロｋｂｐｓとの内のいずれかである。
【００５７】
本発明の１つの側面の一変形例によれば、第１の無線基地局からのメッセージは、サポート可能な最大送信速度の指示を含む。
【００５８】
本発明の１つの側面の一変形例によれば、無線基地局と無線ネットワーク制御局はＷＣＤＭＡ標準に準拠し、アップリンクパケットデータはＷＣＤＭＡリリース６標準におけるＨＳＵＰＡに準拠する。
【００５９】
以前に記述した側面や本発明の変形例は特に、ＷＣＤＭＡ環境において有用であり、ＷＣＤＭＡリリース６におけるＨＳＵＰＡアプリケーションに対してはさらに有用である。
【００６０】
本発明の更なる特徴とその利点とは本発明の実施例に関する以下の詳細な説明から明らかであろう。
【００６１】
本発明は、以下に示す本発明の実施例に関する詳細な説明と添付図面の図１〜図４からより完全に理解されるであろう。なお、これらの説明は例示のために与えられたものであり、従って、本発明を限定するものでない
【発明を実施するための最良の形態】
【００６２】
限定ではなく説明を目的とした以下の記述において、詳細な技術やアプリケーションなどの具体的な詳細が説明され本発明の完全な理解を提供する。しかしながら、これらの具体的な詳細な説明から離れた他の実施例において本発明を実行することができることは当業者に明らかであろう。他の場合において、公知の方法や装置に関する詳細な説明は省略し、不必要な詳細な説明により本発明の説明をあいまいにしないようにしている。
【００６３】
図１は本発明の一変形例に従う概要ブロック図であり、ユーザ機器、即ち、移動端末１０３に関して、第１のＲＢＳ１０１とそれに関連する第１のセル１０４と第２のＲＢＳ１０２とそれに関連する第２のセル１０５との間のハンドオーバを説明している。第１のＲＢＳ１０１は受信ＲＢＳであり、第２のＲＢＳ１０２は発信元ＲＢＳである。各ＲＢＳは関連するより多くのセルを有することができるが、明確さのため唯１つのみが示されていることは当業者に明らかである。
【００６４】
第１と第２のＲＢＳノードはＲＮＣ１０８に接続され、ＲＮＣ１０８は次いでコアネットワーク１０９に接続されている。
【００６５】
ＵＥ１０３は第１の時間点では第２のセル１０５に位置し、矢印１０６が示すように第１のセルに向かって移動している。ＵＥ１０３はフラッシュ形の矢印１０７が示す第２のＲＢＳ１０２に対して確立したＨＳＵＰＡ接続を有する。従って、第２のＲＢＳはサービングＲＢＳである。図１の下部の図では、ＵＥ１０３の時間に対する送信速度を秒当りのキロビット（ｋｂｐｓ）で示す。
【００６６】
ＵＥ１０３が第１のセル１０４に近づくと、第１のＲＢＳ１０１への信号の信号対雑音比が受容可能であるポイントをＵＥ１０３は過ぎてしまうであろう。このポイントを垂直の点線１１１により示す。第１のＲＢＳ１０１が受容可能な受信特性を有することを示す測定リポートをＵＥ１０３はＲＮＣ１０８に送信するであろう。第１のＲＢＳ１０１はこの点で非サービングＲＢＳの役割を引受け、従って、ＵＥ１０３からのＨＳＵＰＡデータ送信の受信を試行するであろう。
【００６７】
第２のＲＢＳ１０２はＵＥ１０３がハンドオーバ中であることのメッセージをＲＮＣ１０８から受信し、従って、ＵＥ１０３に新しい許可を送信することにより送信速度をＭＨＯＴＲに調整するであろう。このための条件が満たされるものとして、次いで、ＵＥ１０３はサービングＲＢＳ１０２への速度増加要求１１０の送信を開始するであろう。しかしながら、ＵＥ１０３がハンドオーバ中であり、既に可能な最高速度、即ち、最大ハンドオーバ送信速度ＭＨＯＴＲを有しているので、これらは無視される。
【００６８】
ＵＥ１０３が矢印１０６に沿いその移動を続けると、ハンドオーバは垂直の点線１１２が示す点において完了するであろう。その点において、第１のＲＢＳ１０１はサービングＲＢＳの役割を引受ける。ＵＥ１０３はＨＳＵＰＡ接続を使用して送信するデータをなお有するとして、ＵＥ１０３は第１のＲＢＳ１０１に速度増加要求を送信するであろう。図１に示すように、次いで、第１のＲＢＳはＵＥ１０３に新しい許可を送信し、ＵＥ１０３の速度を増加させることができる。
【００６９】
この図に示すように、この速度は第２のＲＢＳ１０２に対するほど速くなかったものであり、例えば、第１のＲＢＳ１０１における能力制限に依存するかもしれない。従って、ハンドオーバ中に、速い速度を維持していたとすれば、第１のＲＢＳ１０１はより速い速度をサポートすることができなかったかもしれず、最悪の場合、接続は失われたかもしれない。従って、ハンドオーバ中の送信速度を低減することにより、安全で秩序のあるハンドオーバが達成される一方、送信は維持される。
【００７０】
本発明の１つの側面からすれば、第１のＲＢＳ１０１は第１のセル１０４に入っていく時にＵＥ１０３により使用される送信速度を推定する速度推定器１１３を有する。第１のＲＢＳ１０１がその推定に基づき、ＵＥ１０３により用いられる現行送信速度をサポートすることができないことを検出すれば、メッセージをＲＮＣ１０８に送信し、以下で説明するように、ＲＮＣ１０８は第２のＲＢＳ１０２にメッセージを送信するなどの適切な動作を行うことができる。
【００７１】
図２は本発明の一変形例に従う無線基地局において実施される方法を示す概要フローチャートである。ＲＢＳはサービングＲＢＳとして、非サービングＲＢＳとして、動作しなければならないので、両状況に応じなければならない。新しいＵＥを検出すれば、例えば、ＵＥからの送信を検出されれば（２０１）、チェックを行いＵＥの送信速度（ＴＲ）をサポートすることができるかを判定する（２０２）。送信速度をサポートすることができなければ、レポートをＲＮＣに送信する（２０３）。
【００７２】
ＵＥが新しいセルにレポートし（２０４）、推定送信速度が最大ハンドオーバ送信速度より速ければ（２０６）、ＲＢＳはＵＥに新しい絶対許可を送信し（２０５）、スケジュールされた許可を実質上最大ハンドオーバ送信速度に低下させる。
【００７３】
図３は本発明の一変形例に従う無線ネットワーク制御局において実施される方法を示す概要フローチャートである。最初に、ＲＮＣまたはＲＢＳのいずれかが動作を開始するのかの検証チェックがなされ（３０１）、その結果、初期最大ハンドオーバ送信速度をＲＢＳに送信すべき（３０２）かどうかチェックされる。本発明の一変形例によれば、このＭＨＯＴＲは運用管理者が設定することができる。
【００７４】
ＲＮＣに接続され、非サービングＲＢＳとして現在動作しているＲＢＳから速度レポートを受信すれば（３０３）、特定の非サービングＲＢＳと特定のネットワーク特性に関する状況が評価される（３０４）。その評価に応じて、速度限界、即ち、ＭＨＯＴＲを対応するサービングＲＢＳに送信する（３０５）。ステップ３０６において、非サービングＲＢＳノードからの保留中の速度レポートの存在を検証するチェックを行う。
【００７５】
図４は本発明の一側面に従う概要フローチャートである。ＲＢＳがＵＥから送信を受信すべきであることを示すメッセージをＲＮＣから受信し、従って、ＲＢＳは非サービングＲＢＳの役割を引受ける（４０１）。そのＵＥにより使用される現行速度に関して利用可能なＩｕｂリンク容量とハードウェア容量に関するチェックが実行される（４０２）。現行速度は、例えば、速度推定器により推定できよう。
【００７６】
その容量が送信速度をサポートするのに十分でなければ（４０３）、相対許可をＵＥに送信し、そのＵＥに送信速度の低下を指令する（４０４）。
【００７７】
本発明を複数のやり方で変更可能できることは明らかであろう。このような変形は本発明の範囲から逸脱するものとは見做されない。当業者に明らかであろう全てのこのような修正は添付する請求の範囲に含まれると考えられる。
【図面の簡単な説明】
【００７８】
【図１】本発明の一側面に従うハンドオーバを示す概要ブロック図である。
【図２】本発明の一側面に従う概要フローチャートである。
【図３】本発明の一側面に従う概要フローチャートである。
【図４】本発明の一側面に従う概要フローチャートである。
【図１】
2009538036.tif 000003
【図２】
2009538036.tif 000004
【図３】
2009538036.tif 000005
【図４】
2009538036.tif 000006
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
少なくとも第１の無線カバレッジ領域（セル）における少なくとも第１の移動端末に対して無線空中線インタフェースを提供するセルラ無線通信ネットワークにおける無線基地局であって、
前記少なくとも１つの移動端末からアップリンクパケットデータを受信する受信器と、
最大ハンドオーバ送信速度を受信する手段と、
前記少なくとも第１のセルと別のセルとの間のハンドオーバ中、前記少なくとも第１の移動端末からの前記アップリンクパケットデータの送信速度を実質的に前記最大ハンドオーバ送信速度に制限するために設けられた速度制限器とを有することを特徴とする無線基地局。
【請求項２】
前記無線基地局は、少なくとも第２のセルが前記少なくとも第１の移動端末からの送信を受信するために受容可能な受信特性を有することを示唆する測定結果をネットワークノードから受信するように構成され、
前記無線基地局は、前記示唆があったとき、前記少なくとも第１の移動端末に、スケジュールされた速度を前記第１の移動端末に関する特定の最大ハンドオーバ送信速度に制限するようにさせるメッセージを送信するよう構成されることを特徴とする請求項１に記載の無線基地局。
【請求項３】
特定の移動端末に対する割当てのためのハードウェア資源を有し、前記セルに位置する移動端末からのパケットデータの受信をサポートするために備えられたハードウェアプールをさらに有し、
前記無線基地局は、前記セルに入ってくる新しい移動端末に対する呼のセットアップにおいて、前記最大ハンドオーバ送信速度をサポートするのに十分なハードウェア資源を確保するように構成されることを特徴とする請求項１又は２に記載の無線基地局。
【請求項４】
無線ネットワーク制御局へのデータ通信リンクをさらに有し、
前記無線基地局は、前記少なくとも第１の移動端末から受信するパケットデータを前記データ通信リンクにより前記無線ネットワーク制御局へ送信するように構成され、
前記無線ネットワーク制御局は、前記最大ハンドオーバ送信速度を設定するように構成されることを特徴とする請求項１乃至３のいずれか１項に記載の無線基地局。
【請求項５】
前記無線基地局は、前記無線基地局の開始時、呼設定時、ネットワーク負荷に応じて、または、一日の時刻に応じて、前記無線ネットワーク制御局から送信されるメッセージにおいて前記最大ハンドオーバ送信速度を受信するように構成されることを特徴とする請求項４に記載の無線基地局。
【請求項６】
前記無線基地局は、前記少なくとも第１のセルに入る移動端末に対する送信速度を無線基地局がサポートできないことを示唆するメッセージを前記無線ネットワーク制御局に送信するように構成されることを特徴とする請求項４又は５に記載の無線基地局。
【請求項７】
前記無線基地局は、条件グループの内のいずれかの条件が有効であれば前記送信速度をサポートすることができず、
前記条件グループは、
空中線インタフェースにおける負荷が過大であること、
前記無線ネットワーク制御局への前記データリンクの負荷が過大であること、
十分なハードウェアの割当が不可能であること、
前記ハードウェア資源プールの空きハードウェア資源が閾値以下であることと
を含むことを特徴とする請求項６に記載の無線基地局。
【請求項８】
前記少なくとも第１の移動端末により利用される実送信速度を推定するために備えられた送信速度推定器をさらに有し、
前記無線基地局は、前記少なくとも第１の移動端末にメッセージを送信し、前記スケジュールされた速度を最大送信速度に制限するように構成され、
前記最大送信速度は前記推定送信速度以下であることを特徴とする請求項１乃至７のいずれか１項に記載の無線基地局。
【請求項９】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項１乃至７のいずれか１項に記載の無線基地局。
【請求項１０】
少なくとも第１の無線カバレッジ領域（セル）における少なくとも第１の移動端末と無線基地局との間の無線空中線インタフェースを有するセルラ無線通信ネットワークに備えられた、前記少なくとも１つの移動端末からアップリンクパケットデータを受信する受信器を有する前記無線基地局における方法であって、
最大ハンドオーバ送信速度を受信する工程と、
前記少なくとも第１のセルと別のセルとの間のハンドオーバ中、前記少なくとも第１の移動端末からの前記アップリンクパケットデータの送信速度を実質的に前記最大ハンドオーバ送信速度に制限する工程を有することを特徴とする方法。
【請求項１１】
少なくとも第２のセルが前記少なくとも第１の移動端末からの送信を受信するために受容可能な受信特性を有することを示唆する測定結果をネットワークノードから受信する工程と、
前記示唆があったとき、前記少なくとも第１の移動端末に、特定の最大ハンドオーバ送信速度にスケジュールされた速度を制限するようにさせるメッセージを送信する工程とをさらに有することを特徴とする請求項１０に記載の方法。
【請求項１２】
特定の移動端末に対する割当てのためのハードウェア資源を有し、前記セルに位置する移動端末からのパケットデータの受信をサポートするために備えられたハードウェアプールをさらに有し、
前記セルに入ってくる新しい移動端末に対する呼のセットアップにおいて、前記最大ハンドオーバ送信速度をサポートするのに十分なハードウェア資源を確保する工程をさらに有することを特徴とする請求項１０又は１１に記載の方法。
【請求項１３】
無線ネットワーク制御局へのデータ通信リンクをさらに有し、
前記少なくとも第１の移動端末から受信するパケットデータを前記データ通信リンクにより前記無線ネットワーク制御局へ送信する工程と、
前記無線ネットワーク制御局からのメッセージにおいて前記最大ハンドオーバ送信速度を受信する工程とをさらに有することを特徴とする請求項１０乃至１２のいずれか１項に記載の方法。
【請求項１４】
前記無線基地局が前記少なくとも第１のセルに入る移動端末に対する送信速度をサポートできないかどうかを検出する工程と、
前記無線基地局は、前記送信速度をサポートできないならメッセージを前記無線ネットワーク制御局に送信する工程とをさらに有することを特徴とする請求項１０乃至１３のいずれか１項に記載の方法。
【請求項１５】
前記無線基地局は、条件グループの内のいずれかの条件が有効であれば前記送信速度をサポートすることができず、
前記条件グループは、
空中線インタフェースにおける負荷が過大であること、
前記無線ネットワーク制御局への前記データリンクの負荷が過大であること、
十分なハードウェアの割当が不可能であること、
前記ハードウェア資源プールの空きハードウェア資源が閾値以下であること
を含むことを特徴とする請求項１４に記載の方法。
【請求項１６】
前記少なくとも第１の移動端末により利用される実送信速度を推定する工程と、
前記少なくとも第１の移動端末に、用いられる、前記推定送信速度以下である最大送信速度を示すメッセージを送信する工程とをさらに有することを特徴とする請求項１０乃至１５のいずれか１項に記載の方法。
【請求項１７】
前記無線基地局と前記無線ネットワーク制御局はＷＣＤＭＡ標準に準拠し、
前記アップリンクパケットデータはＷＣＤＭＡリリース６標準におけるＨＳＵＰＡに準拠することを特徴とする請求項１０乃至１６のいずれか１項に記載の方法。
【請求項１８】
広帯域符号分割多元接続（ＷＣＤＭＡ）の無線通信ネットワークにおける無線基地局（ＲＢＳ）であって、
前記ＲＢＳに関連するセルに位置するユーザ機器（ＵＥ）から、第１の送信速度で非サービングセルとして高速アップリンクパケットアクセス（ＨＳＵＰＡ）送信でのパケット送信を受信する手段と、
Ｉｕｂリンク容量の不足か、或は、ハードウェア容量の不足のために、前記ＲＢＳが前記ＵＥからの前記第１の送信速度をサポートすることができないことを検出する手段と、
前記ＵＥに対して、前記ＵＥが前記検出に依存して送信速度を低下させるべきであることを示唆する相対的許可（ＲＧ）を送信する手段とを有することを特徴とする無線基地局。
【国際調査報告】
2009538036.tif 000007
2009538036.tif 000008
2009538036.tif 000009
2009538036.tif 000010